(57)【要約】【課題】より有用な視聴履歴をより効率的に記憶することができる放送受信装置を提供する。【解決手段】第１記憶制御手段は、所定時間以上視聴された番組の番組特定情報が仮履歴リスト１６２２ａに記憶されていないと判断すると所定時間以上視聴された番組の番組特定情報を仮履歴リスト１６２２ａに記憶し、第２記録制御手段は、所定時間以上視聴された番組の番組特定情報が仮履歴リスト１６２２ａに記憶され、且つ、本履歴リスト１６２２ｂに記憶されていないと判断すると所定時間以上視聴された番組の番組特定情報を本履歴リスト１６２２ｂに記憶し、特定手段は、現在時刻に放送中の番組及び／又は現在時刻から予め設定された時間経過後に開始される番組の中で本履歴リスト１６２２ａに記憶された番組特定情報により特定される番組と一致する特定番組を特定し、通知手段は特定番組の番組特定情報を通知する。【選択図】図１
2008263544.tif 000002
【特許請求の範囲】
【請求項１】
ユーザによるキー操作を受け付けるキー操作部と、
番組のタイトルと放送日時とチャンネルとを含む番組特定情報を記憶する第１、第２記憶手段と、
所定時間以上視聴された番組の前記番組特定情報が、前記第１記憶手段に記憶されているか否かを判断する第１判断手段と、
前記第１判断手段により、所定時間以上視聴された番組の前記番組特定情報が、前記第１記憶手段に記憶されていないと判断された場合に、所定時間以上視聴された当該番組の前記番組特定情報を当該第１記憶手段に記憶させる第１記憶制御手段と、
所定時間以上視聴された番組の前記番組特定情報が、前記第２記憶手段に記憶されているか否かを判断する第２判断手段と、
前記第１判断手段により、所定時間以上視聴された番組の前記番組特定情報が、前記第１記憶手段に記憶されていると判断され、且つ、前記第２判断手段により、前記第２記憶手段に記憶されていないと判断された場合に、所定時間以上視聴された当該番組の前記番組特定情報を当該第２記憶手段に記憶させる第２記憶制御手段と、
前記第２記憶手段に記憶された前記番組特定情報により特定される番組の視聴時間又は視聴回数を含む視聴実績情報を、当該番組の視聴の度に算出する算出手段と、
前記算出手段により算出された前記視聴実績情報と前記番組特定情報とを対応付けて記憶する視聴実績情報記憶手段と、
現在時刻に放送中の番組及び／又は現在時刻から予め設定された時間経過後に開始される番組の中で、前記第２記憶手段に記憶された番組特定情報により特定される番組と一致する特定番組を特定する特定手段と、
前記特定手段により特定された特定番組の番組特定情報を、所定のタイミングで通知する通知手段と、
視聴中の番組のチャンネルと、前記特定手段により特定された特定番組のチャンネルとが一致するか否かを判定する判定手段と、
前記判定手段により、前記視聴中の番組のチャンネルと、前記特定手段により特定された特定番組のチャンネルとが、一致しないと判定された場合であって、前記通知手段による通知後、所定の待機時間内に、前記キー操作部において、チャンネルの切り替えを行わない旨を指示するキー操作がなされない場合に、当該所定の待機時間経過後に、当該特定番組のチャンネルに切り替える切替手段と、
を備え、
前記特定手段は、現在時刻に放送中の番組及び／又は現在時刻から予め設定された時間経過後に開始される番組の中で、前記第２記憶手段に記憶された番組特定情報により特定される番組と一致する番組が同一時間帯に複数ある場合には、前記視聴実績情報記憶手段に記憶された視聴実績情報における視聴時間が最も長い番組又は視聴回数が最も多い番組を特定番組として特定することを特徴とする放送受信装置。
【請求項２】
番組のタイトルと放送日時を含む番組特定情報を記憶する第１、第２記憶手段と、
所定時間以上視聴された番組の前記番組特定情報が、前記第１記憶手段に記憶されているか否かを判断する第１判断手段と、
前記第１判断手段により、所定時間以上視聴された番組の前記番組特定情報が、前記第１記憶手段に記憶されていないと判断された場合に、所定時間以上視聴された当該番組の前記番組特定情報を当該第１記憶手段に記憶させる第１記憶制御手段と、
所定時間以上視聴された番組の前記番組特定情報が、前記第２記憶手段に記憶されているか否かを判断する第２判断手段と、
前記第１判断手段により、所定時間以上視聴された番組の前記番組特定情報が、前記第１記憶手段に記憶されていると判断され、且つ、前記第２判断手段により、前記第２記憶手段に記憶されていないと判断された場合に、所定時間以上視聴された番組の前記番組特定情報を当該第２記憶手段に記憶させる第２記憶制御手段と、
現在時刻に放送中の番組及び／又は現在時刻から予め設定された時間経過後に開始される番組の中で、前記第２記憶手段に記憶された番組特定情報により特定される番組と一致する特定番組を特定する特定手段と、
前記特定手段により特定された特定番組の番組特定情報を、所定のタイミングで通知する通知手段と、
を備えることを特徴とする放送受信装置。
【請求項３】
前記番組特定情報は、番組のチャンネルを含み、
視聴中の番組のチャンネルと、前記特定手段により特定された特定番組の前記番組特定情報に含まれるチャンネルとが一致するか否かを判定する判定手段と、
前記判定手段により、前記視聴中の番組のチャンネルと、前記特定手段により特定された特定番組のチャンネルとが、一致しないと判定された場合であって、所定の条件が成立した場合に、当該特定番組のチャンネルに切り替える切替手段と、
を備えることを特徴とする請求項２に記載の放送受信装置。
【請求項４】
ユーザによるキー操作を受け付けるキー操作部を備え、
前記切替手段は、前記通知手段による通知後、所定の待機時間内に、前記キー操作部において、チャンネルの切り替えを行わない旨を指示するキー操作がなされない場合に、当該所定の待機時間経過後に、チャンネルの切り替えを行うことを特徴とする請求項３に記載の放送受信装置。
【請求項５】
前記第２記憶手段に記憶された前記番組特定情報により特定される番組の視聴時間又は視聴回数を含む視聴実績情報を、当該番組の視聴の度に算出する算出手段と、
前記算出手段により算出された前記視聴実績情報と前記番組特定情報とを対応付けて記憶する視聴実績情報記憶手段と、を備え、
前記特定手段は、現在時刻に放送中の番組及び／又は現在時刻から予め設定された時間経過後に開始される番組の中で、前記第２記憶手段に記憶された番組特定情報により特定される番組と一致する番組が同一時間帯に複数ある場合には、前記視聴実績情報記憶手段に記憶された視聴実績情報における視聴時間が最も長い番組又は視聴回数が最も多い番組を特定番組として特定することを特徴とする請求項２〜４の何れか一項に記載の放送受信装置。
【発明の詳細な説明】
【技術分野】
【０００１】
本発明は、放送受信装置に関する。
【背景技術】
【０００２】
従来、テレビジョン受像機等の放送受信装置において、毎週連続して放送されるシリーズ形式の放送番組の視聴忘れを防止するための技術が提案されている。
【０００３】
例えば、特許文献１には、選局履歴情報に基づいて、所定日数前に視聴した番組のチャンネルに、その番組の放送開始前に自動選局させる受信装置が開示されている。
また、特許文献２には、同時刻で一定パーセント以上の視聴頻度があるチャンネルを、高頻度視聴チャンネルであると判定し、当該高頻度視聴チャンネルと異なるチャンネルが視聴されている場合に、高頻度視聴チャンネルが他にあることを示すアイコン等の絵文字や、文字表示等をディスプレイに表示させて注意喚起を行い、さらに、高頻度視聴チャンネルの映像をＰｉｎＰの子画面として一定時間表示することにより、ユーザがいつも見ている番組を、確実に視聴できるようにするための放送受信装置が開示されている。
【特許文献１】特開２００６−２９５８６８号公報
【特許文献２】特開２００３−１０１８９２号公報
【発明の開示】
【発明が解決しようとする課題】
【０００４】
しかしながら、上記特許文献１及び特許文献２では、短時間しか視聴していない番組や、一度しか視聴していない番組等も履歴に記憶され、当該履歴に記憶された視聴実績に基づいてチャンネルの切り替えや注意喚起等が行われる。このように、従来の放送受信装置では、不要な視聴履歴情報も記憶されることとなるため、視聴履歴内の探索や視聴実績の比較等の処理を効率良く行えないという問題があった。
【０００５】
本発明の課題は、より有用な視聴履歴をより効率的に記憶することができる放送受信装置を提供することである。
【課題を解決するための手段】
【０００６】
上記課題を解決するため、請求項１に記載の発明は、放送受信装置において、ユーザによるキー操作を受け付けるキー操作部と、
番組のタイトルと放送日時とチャンネルとを含む番組特定情報を記憶する第１、第２記憶手段と、
所定時間以上視聴された番組の前記番組特定情報が、前記第１記憶手段に記憶されているか否かを判断する第１判断手段と、
前記第１判断手段により、所定時間以上視聴された番組の前記番組特定情報が、前記第１記憶手段に記憶されていないと判断された場合に、所定時間以上視聴された当該番組の前記番組特定情報を当該第１記憶手段に記憶させる第１記憶制御手段と、
所定時間以上視聴された番組の前記番組特定情報が、前記第２記憶手段に記憶されているか否かを判断する第２判断手段と、
前記第１判断手段により、所定時間以上視聴された番組の前記番組特定情報が、前記第１記憶手段に記憶されていると判断され、且つ、前記第２判断手段により、前記第２記憶手段に記憶されていないと判断された場合に、所定時間以上視聴された当該番組の前記番組特定情報を当該第２記憶手段に記憶させる第２記憶制御手段と、
前記第２記憶手段に記憶された前記番組特定情報により特定される番組の視聴時間又は視聴回数を含む視聴実績情報を、当該番組の視聴の度に算出する算出手段と、
前記算出手段により算出された前記視聴実績情報と前記番組特定情報とを対応付けて記憶する視聴実績情報記憶手段と、
現在時刻に放送中の番組及び／又は現在時刻から予め設定された時間経過後に開始される番組の中で、前記第２記憶手段に記憶された番組特定情報により特定される番組と一致する特定番組を特定する特定手段と、
前記特定手段により特定された特定番組の番組特定情報を、所定のタイミングで通知する通知手段と、
視聴中の番組のチャンネルと、前記特定手段により特定された特定番組のチャンネルとが一致するか否かを判定する判定手段と、
前記判定手段により、前記視聴中の番組のチャンネルと、前記特定手段により特定された特定番組のチャンネルとが、一致しないと判定された場合であって、前記通知手段による通知後、所定の待機時間内に、前記キー操作部において、チャンネルの切り替えを行わない旨を指示するキー操作がなされない場合に、当該所定の待機時間経過後に、当該特定番組のチャンネルに切り替える切替手段と、
を備え、
前記特定手段は、現在時刻に放送中の番組及び／又は現在時刻から予め設定された時間経過後に開始される番組の中で、前記第２記憶手段に記憶された番組特定情報により特定される番組と一致する番組が同一時間帯に複数ある場合には、前記視聴実績情報記憶手段に記憶された視聴実績情報における視聴時間が最も長い番組又は視聴回数が最も多い番組を特定番組として特定することを特徴とする。
【０００７】
請求項２に記載の発明は、放送受信装置において、番組のタイトルと放送日時を含む番組特定情報を記憶する第１、第２記憶手段と、
所定時間以上視聴された番組の前記番組特定情報が、前記第１記憶手段に記憶されているか否かを判断する第１判断手段と、
前記第１判断手段により、所定時間以上視聴された番組の前記番組特定情報が、前記第１記憶手段に記憶されていないと判断された場合に、所定時間以上視聴された当該番組の前記番組特定情報を当該第１記憶手段に記憶させる第１記憶制御手段と、
所定時間以上視聴された番組の前記番組特定情報が、前記第２記憶手段に記憶されているか否かを判断する第２判断手段と、
前記第１判断手段により、所定時間以上視聴された番組の前記番組特定情報が、前記第１記憶手段に記憶されていると判断され、且つ、前記第２判断手段により、前記第２記憶手段に記憶されていないと判断された場合に、所定時間以上視聴された番組の前記番組特定情報を当該第２記憶手段に記憶させる第２記憶制御手段と、
現在時刻に放送中の番組及び／又は現在時刻から予め設定された時間経過後に開始される番組の中で、前記第２記憶手段に記憶された番組特定情報により特定される番組と一致する特定番組を特定する特定手段と、
前記特定手段により特定された特定番組の番組特定情報を、所定のタイミングで通知する通知手段と、
を備えることを特徴とする。
【０００８】
請求項３に記載の発明は、請求項２に記載の放送受信装置において、前記番組特定情報は、番組のチャンネルを含み、
視聴中の番組のチャンネルと、前記特定手段により特定された特定番組の前記番組特定情報に含まれるチャンネルとが一致するか否かを判定する判定手段と、
前記判定手段により、前記視聴中の番組のチャンネルと、前記特定手段により特定された特定番組のチャンネルとが、一致しないと判定された場合であって、所定の条件が成立した場合に、当該特定番組のチャンネルに切り替える切替手段と、
を備えることを特徴とする。
【０００９】
請求項４に記載の発明は、請求項３に記載の放送受信装置において、ユーザによるキー操作を受け付けるキー操作部を備え、
前記切替手段は、前記通知手段による通知後、所定の待機時間内に、前記キー操作部において、チャンネルの切り替えを行わない旨を指示するキー操作がなされない場合に、当該所定の待機時間経過後に、チャンネルの切り替えを行うことを特徴とする。
【００１０】
請求項５に記載の発明は、請求項２〜４の何れか一項に記載の放送受信装置において、前記第２記憶手段に記憶された前記番組特定情報により特定される番組の視聴時間又は視聴回数を含む視聴実績情報を、当該番組の視聴の度に算出する算出手段と、
前記算出手段により算出された前記視聴実績情報と前記番組特定情報とを対応付けて記憶する視聴実績情報記憶手段と、を備え、
前記特定手段は、現在時刻に放送中の番組及び／又は現在時刻から予め設定された時間経過後に開始される番組の中で、前記第２記憶手段に記憶された番組特定情報により特定される番組と一致する番組が同一時間帯に複数ある場合には、前記視聴実績情報記憶手段に記憶された視聴実績情報における視聴時間が最も長い番組又は視聴回数が最も多い番組を特定番組として特定することを特徴とする。
【発明の効果】
【００１１】
請求項１に記載の発明によれば、ユーザによるキー操作を受け付けるキー操作部が備わり、第１、第２記憶手段により、番組のタイトルと放送日時とチャンネルとを含む番組特定情報が記憶され、第１判断手段により、所定時間以上視聴された番組の番組特定情報が、第１記憶手段に記憶されているか否かが判断され、第１記憶制御手段により、第１判断手段により所定時間以上視聴された番組の番組特定情報が第１記憶手段に記憶されていないと判断された場合に、所定時間以上視聴された番組の番組特定情報が第１記憶手段に記憶され、第２判断手段により、所定時間以上視聴された番組の番組特定情報が、第２記憶手段に記憶されているか否かが判断され、第２記憶制御手段により、第１判断手段により、所定時間以上視聴された番組の番組特定情報が、第１記憶手段に記憶されていると判断され、且つ、第２判断手段により、第２記憶手段に記憶されていないと判断された場合に、所定時間以上視聴された番組の番組特定情報が当該第２記憶手段に記憶され、算出手段により、第２記憶手段に記憶された番組特定情報により特定される番組の視聴時間又は視聴回数を含む視聴実績情報が当該番組の視聴の度に算出され、視聴実績情報記憶手段により、算出手段により算出された視聴実績情報と番組特定情報とが対応付けて記憶され、特定手段により、現在時刻に放送中の番組及び／又は現在時刻から予め設定された時間経過後に開始される番組の中で、第２記憶手段に記憶された番組特定情報により特定される番組と一致する特定番組が特定され、通知手段により、特定手段により特定された特定番組の番組特定情報が、所定のタイミングで通知され、判定手段により、視聴中の番組のチャンネルと、特定手段により特定された特定番組のチャンネルとが一致するか否かが判定され、切替手段により、判定手段により、視聴中の番組のチャンネルと、特定手段により特定された特定番組のチャンネルとが、一致しないと判定された場合であって、通知手段による通知後、所定の待機時間内に、キー操作部において、チャンネルの切り替えを行わない旨を指示するキー操作がなされない場合に、当該所定の待機時間経過後に、当該特定番組のチャンネルに切り替えられ、特定手段は、現在時刻に放送中の番組及び／又は現在時刻から予め設定された時間経過後に開始される番組の中で、第２記憶手段に記憶された番組特定情報により特定される番組と一致する番組が同一時間帯に複数ある場合には、視聴実績情報記憶手段に記憶された視聴実績情報における視聴時間が最も長い番組又は視聴回数が最も多い番組を特定番組として特定する。
したがって、所定時間以上の視聴が２回以上行われた番組のみ第２記憶手段に記憶されるとともに、当該第２記憶手段に基づいて特定番組が特定されることとなるため、視聴履歴への視聴履歴情報の記憶が、複数段階に分けて行われ、放送受信装置において、より有用且つより効率的な視聴履歴の記憶が可能となる。また、ユーザは、チャンネルの切り替えを望まない場合にのみ、チャンネルの切り替えを行わない旨を指示するキー操作を行えば良く、チャンネルの切り替えを望む場合には、チャンネル変更の操作を行わなくても特定番組に自動的に切り替えられることとなり、より確実に特定番組を視聴することができるとともに、放送受信装置の使い勝手を向上させることができる。さらに、視聴実績情報における視聴時間が最も長い番組又は視聴回数が最も多い番組が特定番組と特定されることとなるため、過去の視聴履歴に基づく、ユーザが視聴する可能性のより高い番組が、より確実に視聴できることとなる。
【００１２】
請求項２に記載の発明によれば、第１、第２記憶手段により、番組のタイトルと放送日時を含む番組特定情報が記憶され、第１判断手段により、所定時間以上視聴された番組の番組特定情報が、第１記憶手段に記憶されているか否かが判断され、第１記憶制御手段により、第１判断手段により、所定時間以上視聴された番組の番組特定情報が、第１記憶手段に記憶されていないと判断された場合に、所定時間以上視聴された番組の番組特定情報が第１記憶手段に記憶され、第２判断手段により、所定時間以上視聴された番組の番組特定情報が、第２記憶手段に記憶されているか否かが判断され、第１判断手段により、所定時間以上視聴された番組の前記番組特定情報が、第１記憶手段に記憶されていると判断され、且つ、第２判断手段により、第２記憶手段に記憶されていないと判断された場合に、第２記憶制御手段により、所定時間以上視聴された番組の番組特定情報が第２記憶手段に記憶され、特定手段により、現在時刻に放送中の番組及び／又は現在時刻から予め設定された時間経過後に開始される番組の中で、第２記憶手段に記憶された番組特定情報により特定される番組と一致する特定番組が特定され、通知手段により、特定手段により特定された特定番組の番組特定情報が、所定のタイミングで通知される。
したがって、所定時間以上の視聴が２回以上行われた番組のみ第２記憶手段に記憶されるとともに、当該第２記憶手段に基づいて特定番組が特定されることとなるため、視聴履歴への視聴履歴情報の記憶が、複数段階に分けて行われ、放送受信装置において、より有用且つより効率的な視聴履歴の記憶が可能となる。
【００１３】
請求項３に記載の発明によれば、請求項２に記載の発明の効果が得られるのは無論のこと、番組特定情報には、番組のチャンネルが含まれ、判定手段により、視聴中の番組のチャンネルと、特定手段により特定された特定番組の番組特定情報に含まれるチャンネルとが一致するか否かが判定され、切替手段により、判定手段により、視聴中の番組のチャンネルと、特定手段により特定された特定番組のチャンネルとが、一致しないと判定された場合であって、所定の条件が成立した場合に、当該特定番組のチャンネルに切り替えられる。
したがって、所定の条件が成立した場合には、特定番組に自動的に切り替えられることとなって、ユーザはより確実に特定番組を視聴することができるとともに、放送受信装置の使い勝手を向上させることができる。
【００１４】
請求項４に記載の発明によれば、請求項３に記載の発明の効果が得られるのは無論のこと、ユーザによるキー操作を受け付けるキー操作部が備わり、通知手段による通知後、所定の待機時間内に、キー操作部において、チャンネルの切り替えを行わない旨を指示するキー操作がなされない場合に、当該所定の待機時間経過後に、切替手段によるチャンネルの切り替えが行われる。
したがって、ユーザは、チャンネルの切り替えを望まない場合にのみ、チャンネルの切り替えを行わない旨を指示するキー操作を行えば良いこととなって、放送受信装置の使い勝手を向上させることができる。
【００１５】
請求項５に記載の発明によれば、請求項２〜４の何れか一項に記載の発明の効果が得られるのは無論のこと、算出手段により、第２記憶手段に記憶された番組特定情報により特定される番組の視聴時間又は視聴回数を含む視聴実績情報が当該番組の視聴の度に算出され、視聴実績情報記憶手段により、算出手段により算出された視聴実績情報と番組特定情報とが対応付けられて記憶され、特定手段は、現在時刻に放送中の番組及び／又は現在時刻から予め設定された時間経過後に開始される番組の中で、第２記憶手段に記憶された番組特定情報により特定される番組と一致する番組が同一時間帯に複数ある場合には、視聴実績情報記憶手段に記憶された視聴実績情報における視聴時間が最も長い番組又は視聴回数が最も多い番組を特定番組として特定する。
したがって、視聴実績情報における視聴時間が最も長い番組又は視聴回数が最も多い番組が特定番組と特定されることとなるため、過去の視聴履歴に基づく、ユーザが視聴する可能性のより高い番組が、より確実に視聴できることとなる。
【発明を実施するための最良の形態】
【００１６】
以下、本発明の実施の形態を、図面を参照しながら詳細に説明する。本実施形態では、放送受信装置として、テレビジョン受像機を例に説明を行う。
【００１７】
図１は、本実施形態におけるテレビジョン受像機１００の要部構成を例示するブロック図である。
本実施形態のテレビジョン受像機１００は、図１に示すように、キー操作部としてのリモートコントローラ１と、このリモートコントローラ１により遠隔操作される受像機本体２と、を備えて構成されている。
【００１８】
リモートコントローラ（以下、「リモコン」と称する。）１は、ユーザが受像機本体２に対して各種指示を入力するための複数のキーを備えており、ユーザによるキーの押下操作を検出して、押下されたキーに対応するリモコン信号を出力することにより、受像機本体２を遠隔操作する。具体的には、リモコン１を受像機本体２に向けた状態でユーザがキーを押下すると、押下されたキーに対応する赤外線等のリモコン信号が生成されて出力され、当該入力操作信号が受像機本体２の前面パネル等に設けられたリモコン信号受光部３において受信されることとなる。
リモコン１に備わる複数のキーは、例えば、図示は省略するが、受像機本体２の電源をオン／オフする電源キーと、ダイレクト選局キーと、チャンネルアップダウンキーと、各種メニュー画面を映像出力部に表示させるメニューキーと、入力を確定する確定キーと、入力を消去するクリアキーと、音量を調節するボリュームアップダウンキーと、音声モードを切替選択する音声モード切替キーと、前の状態に戻るためのリターンキーと、等である。
なお、このようなキー操作群が、受像機本体２の前面部等に設けられていても良い。
【００１９】
受像機本体２は、リモコン１からのリモコン信号を受信するリモコン信号受光部３と、放送信号を受信するアンテナ４と、アンテナ４により受信された放送信号から所定の放送信号を選局する受信手段としてのチューナ５と、チューナ５により選局された放送信号をトランスポートストリーム（ＴＳ）に復調する復調部６と、復調部６により復調されたＴＳを分離する分離部７と、分離部７により分離されたストリームを復号するビデオデコーダ８及びオーディオデコーダ９と、分離部７により分離されたＥＰＧデータを復号するＥＰＧデコーダ１０と、ビデオデコーダ８により復号された映像信号に対して所定の処理を行う映像処理部１１と、オーディオデコーダ９により復号された音声信号に対して所定の処理を行う音声処理部１２と、映像処理部１１により処理された映像信号にＯＳＤデータを付加するＯＳＤ回路１３と、映像処理部１１により処理された映像信号を出力する表示部１４と、音声処理部１２により処理された音声信号を出力する音声出力部１５と、テレビジョン受像機１００全体を統括制御する制御部１６と、等を備えており、各部はバス１７により接続されている。
【００２０】
リモコン信号受光部３は、例えば、図示は省略するが、フォトダイオードと、ＳＵＢＣＰＵ１６１と、増幅部と、復調部６と、デコーダと、等を備えて構成されており、リモコン１から送信されたリモコン信号を、前面パネルに設けられたフォトダイオードにおいて受信すると、ＳＵＢＣＰＵ１６１の制御により、増幅部により増幅した後に復調部６において復調し、さらに、デコーダにより波形整形、誤り訂正等の各種処理を行って、制御部１６に対して出力する。
【００２１】
アンテナ４は、例えば、ＢＳアンテナ、ＣＳアンテナ、地上デジタルアンテナから構成されており、屋外において所定の方向に向けて配置され、図示しないテレビジョン放送局等から発信される高周波（RF）のデジタルテレビジョン放送信号（RF信号）を受信する。
チューナ５は、例えば、図示は省略するが、高周波増幅回路と、局部発振回路及び混合回路から成る周波数変換回路と、を備えて構成されており、アンテナ４等により入力されたテレビジョン放送信号を、高周波増幅回路において増幅し、混合回路において局部発振回路から出力される局部発振信号と混合する。さらに、特定の周波数を選局するための制御部１６からの制御出力に応じて、特定周波数帯の中間周波信号（IF信号）を受信し、当該中間周波信号に所定の処理を行って復調部６に出力する。
【００２２】
復調部６は、例えば、制御部１６からの制御に基づいて、チューナ５から出力された中間周波信号に対してデジタル復調や誤り訂正などの処理を実行し、ＴＳを生成して、分離部７に出力する。
【００２３】
分離部７は、復調部６から入力されるＴＳからビデオストリーム、オーディオストリーム、ＰＳＩ（Program Specific Information:番組特定情報）／ＳＩ（Service Information: 番組配列情報）を分離する。
ＰＳＩは、ＰＭＴ（Program Map Table）、ＰＡＴ（Program Association Table）、ＮＩＴ（Network Information Table）、ＣＡＴ（Conditional Access Table）の４つのテーブルであり、番組の選択等に用いられる。また、ＳＩは、ＳＤＴ（Service Description Table）、ＥＩＴ（Event Information Table）、ＢＡＴ（Bouquet Association Table）、ＴＤＴ（Time Date Table）等の各種テーブルであり、ＴＳに含まれる番組データのタイトル、チャンネル、放送局、ジャンル、放送時刻としての放送開始時刻・放送終了時刻、出演者、番組内容等の番組に関する情報が含まれる。
ＳＩに含まれる各種のテーブルはＥＰＧ情報として用いられるとともに、このＥＰＧ情報は、番組を特定するための番組特定情報として用いられる。なお、以下の説明における「番組特定情報」は、ＰＳＩを指すものでなく、放送信号から抽出されるＥＰＧ情報に基づく、番組を特定するための情報であり、少なくとも番組のタイトル・チャンネル・放送時刻を含む。
分離部７は、復調部６からＴＳが入力されると、ＴＳに含まれるＰＳＩに基づいて、入力されたＴＳから必要なＴＳパケットを分離する。そして、分離されたＴＳパケットのうち、ＭＰＥＧ２（Moving Picture Experts Group 2）規格下のビデオストリームをビデオデコーダ８に、オーディオストリームをオーディオデコーダ９に、さらに、ＥＰＧ情報としてのＳＩをＥＰＧデコーダ１０に出力する。
【００２４】
ビデオデコーダ８は、分離部７から入力されたビデオストリームを復号し、逆ＤＣＴ変換や動き補償制御等を行い、映像データを生成して映像処理部１１に出力する。また、オーディオデコーダ９は、分離部７から入力されたオーディオストリームを復号し、音声データを生成して音声処理部１２に出力する。
【００２５】
ＥＰＧデコーダ１０は、分離部７から入力されたＥＰＧ情報を復号して、制御部１６やＯＳＤ回路１３に出力する。
【００２６】
映像処理部１１は、ビデオデコーダ８から入力された映像データに対して、Ｄ／Ａ変換等の各種処理を施し、映像信号を生成する。また、音声処理部１２は、オーディオデコーダ９から入力された音声データに対して、Ｄ／Ａ変換等の各種処理を施し、音声信号を生成する。生成された映像信号は表示部１４に出力され、音声信号は音声出力部１５に出力される。
【００２７】
ＯＳＤ回路１３は、制御部１６からの指示出力に応じて、映像処理部１１から出力された映像信号に、図示しないＯＳＤデータを合成する処理を行う。
【００２８】
表示部１４は、例えば、ＬＣＤ（Liquid Crystal Display）、ＰＤＰ（Plasma Display Panel）等の図示しないディスプレイを備え、映像処理部１１から入力された映像信号に基づく映像を当該ディスプレイに表示させる。
音声出力部１５は、例えば、図示しないスピーカ等を備え、音声処理部１２から入力された音声信号に基づく音声を当該スピーカにより出力させる。
【００２９】
制御部１６は、ＣＰＵ（Central Processing Unit）１６１、メモリ部１６２、ＲＯＭ（Read Only Memory）１６３、計時処理を行う計時部１６４等を備えて構成されている。
【００３０】
ＣＰＵ１６１は、受像機本体２の各部から入力された入力信号や、リモコン１における各種キーの押下操作によって入力された入力操作信号等に応じて、ＲＯＭ１６３に格納された各種プログラムを実行するとともに、実行にかかるプログラムに基づいて受像機本体２の各部に出力信号を出力することにより、テレビジョン受像機１００の動作全般を統括制御する。
【００３１】
メモリ部１６２は、例えば、ＲＡＭ（Random Access Memory）等の揮発性メモリからなるワークエリア１６２１を備えており、ＣＰＵ１６１によって各種プログラムが実行される際に生じる処理結果や、入力されたデータ等をこのワークエリア１６２１に記憶させる。
【００３２】
また、メモリ部１６２は、ＥＰＲＯＭ（Erasable Programmable ROM）等の不揮発性メモリからなるデータエリア１６２２を備えている。データエリア１６２２は、例えば、第１記憶手段としての仮履歴リスト１６２２ａと、第２記憶手段及び視聴実績情報記憶手段としての本履歴リスト１６２２ｂ等を記憶している。
【００３３】
仮履歴リスト１６２２ａは、例えば、図２に示すように、後述する第１記憶制御プログラム１６３ｂの実行において、テレビジョン受像機１００において視聴された番組のうち、所定時間以上（例えば、５分間以上）視聴された番組の番組特定情報を記憶するテーブルであり、テレビジョン受像機１００において、所定時間以上の視聴が初めて行われた番組の番組特定情報が記憶される。当該仮履歴リスト１６２２ａに記憶される番組特定情報は、放送番組データに重畳されているＳＩに基づくＥＰＧ情報から取得され、少なくともタイトル・チャンネル・放送日時を含んでいる。図２に例示する仮履歴リスト１６２２ａでは、例えば、番組毎に、タイトル、チャンネル、放送曜日、放送開始時刻、放送終了時刻、放送局、ジャンルが互いに対応付けられて記憶されている。
ここで、本実施形態における「放送日時」は、番組が放送される曜日、放送開始時刻、放送終了時刻をいうものとする。
【００３４】
本履歴リスト１６２２ｂは、例えば、図３に示すように、後述する第２記憶制御プログラム１６３ｄの実行において、テレビジョン受像機１００において視聴された番組のうち、所定時間以上（例えば、５分間以上）視聴され、且つ、仮履歴リスト１６２２ａに既に記憶されている番組の番組特定情報を記憶するテーブルである。すなわち、本履歴リスト１６２２ｂには、所定時間以上の視聴が２回目以上である番組の番組特定情報が記憶されることとなる。当該本履歴リスト１６２２ｂに記憶される番組特定情報は、仮履歴リスト１６２２ａに記憶される番組特定情報と同様、放送番組データに重畳されているＳＩに基づくＥＰＧ情報から取得され、少なくともタイトル・放送曜日・放送時刻・チャンネルを含んでいる。図３に例示する本履歴リスト１６２２ｂでは、例えば、番組毎に、タイトル、チャンネル、ジャンル、放送開始時刻、放送終了時刻が互いに対応付けられて記憶されている。
さらに、本履歴リスト１６２２ｂは、各番組の番組特定情報と対応付けて、後述する算出プログラム１６３ｅの実行において算出される番組の視聴回数及び累積視聴時間（視聴時間）を含む視聴実績情報を記憶している。
【００３５】
ＲＯＭ１６３は、不揮発性メモリから成るプログラム格納エリアを有しており、具体的には、第１判断プログラム１６３ａ、第１記憶制御プログラム１６３ｂ、第２判断プログラム１６３ｃ、第２記憶制御プログラム１６３ｄ、算出プログラム１６３ｅ、視聴実績情報記憶プログラム１６３ｆ、特定プログラム１６３ｇ、通知プログラム１６３ｈ、判定プログラム１６３ｉ、切替プログラム１６３ｊ等を備えている。
【００３６】
第１判断プログラム１６３ａは、例えば、ＣＰＵ１６１に、所定時間以上視聴された番組の番組特定情報が、仮履歴リスト１６２２ａに記憶されているか否かを判断する機能を実現させるためのプログラムである。
具体的には、ＣＰＵ１６１は、チューナ５において受信される放送番組データに基づいて、番組の視聴が行われると、当該番組が含まれるＴＳからＳＩを抽出し、ＳＩからＥＰＧ情報を取得して、ワークエリア１６２１等の所定の領域に一時的に記憶する。そして、番組の放送終了時や、チャンネル切り替え時等のタイミングで、当該番組が所定時間以上（例えば、５分間以上）視聴されたか否かを、計時部における計時データやＥＰＧ情報における時間データ等に基づいて判断する。
ＣＰＵ１６１は、番組の視聴時間が所定時間以上であると判断すると、データエリア１６２２に格納されている仮履歴リスト１６２２ａを参照し、その番組の番組特定情報が仮履歴リスト１６２２ａに記憶済みであるか否かを判断する。仮履歴リスト１６２２ａには、テレビジョン受像機１００において、所定時間以上の視聴が一回以上行われた番組の番組特定情報が記憶されており、テレビジョン受像機１００において所定時間以上の視聴が初めて行われる番組が、当該第１判断プログラム１６３ａの実行において、仮履歴リスト１６２２ａに記憶済みでないと判断されることとなる。
ＣＰＵ１６１は、かかる第１判断プログラム１６３ａを実行することにより、第１判断手段として機能する。
【００３７】
また、ＣＰＵ１６１は、第１判断プログラム１６３ａの実行に際して、所定時間以上の視聴が行われた番組の視聴時間が、仮履歴リスト１６２２ａに記憶済みでないと判断した場合には、更に、当該番組が、放送局側で行われる番組編成後に初めて視聴する番組であるか否かを判断する。番組編成後に初めて視聴する番組であるか否かの判断は、放送番組データから抽出したＥＰＧ情報等に基づいて行っても良いし、現在が、予め設定された番組編成時期（１月・４月・７月・１０月の１週目等）に該当するか否かに基づいて行っても良い。
ＣＰＵ１６１は、番組が、番組編成後に初めて視聴する番組であると判断した場合には、本履歴リスト１６２２ｂに、同一放送日時における同一チャンネルの番組の番組特定情報が記憶されているか否かを判断する。そして、本履歴リスト１６２２ｂに、番組編成後にはじめて視聴する番組と、同一放送日時における同一チャンネルの番組の番組特定情報が記憶されていると判断した場合には、本履歴リスト１６２２ｂに記憶されている当該番組の番組特定情報を削除する。
【００３８】
第１記憶制御プログラム１６３ｂは、例えば、ＣＰＵ１６１に、第１判断プログラム１６３ａの実行により、所定時間以上視聴された番組の番組特定情報が、仮履歴リスト１６２２ａに記憶されていないと判断された場合に、所定時間以上視聴された番組の番組特定情報を仮履歴リスト１６２２ａに記憶させる機能を実現させるためのプログラムである。
具体的には、ＣＰＵ１６１は、前述の第１判断プログラム１６３ａの実行において、所定時間以上視聴された番組が、仮履歴リスト１６２２ａに記憶済みでないと判断された場合に、当該番組が含まれるＴＳから抽出したＥＰＧ情報から、その番組のタイトル、チャンネル、放送曜日、放送開始時刻、放送終了時刻、放送局、ジャンル等の番組特定情報を取得して、仮履歴リスト１６２２ａに記憶させる。
また、ＣＰＵ１６１は、所定時間以上の視聴が初めて行われた番組の番組特定情報を、仮履歴リスト１６２２ａに記憶する際に、図示しない所定の領域に当該番組の視聴時間等のデータを保持し、後に、この番組が再び視聴された場合には、後述する算出プログラム１６３ｅの実行において、当該１回目の視聴時間が、累積視聴時間に加算されることとなる。
ＣＰＵ１６１は、かかる第１記憶制御プログラム１６３ｂを実行することにより、第１記憶制御手段として機能する。
【００３９】
第２判断プログラム１６３ｃは、例えば、ＣＰＵ１６１に、所定時間以上視聴された番組の番組特定情報が、本履歴リスト１６２２ｂに記憶されているか否かを判断する機能を実現させるためのプログラムである。
具体的には、ＣＰＵ１６１は、前述の第１判断プログラム１６３ａの実行において、所定時間以上（例えば、５分間以上）視聴された番組が、仮履歴リスト１６２２ａに記憶済みであると判断された場合に、次に、データエリア１６２２に格納されている本履歴リスト１６２２ｂを参照し、所定時間以上視聴された当該番組が本履歴リスト１６２２ｂに記憶済みであるか否かを判断する。本履歴リスト１６２２ｂには、テレビジョン受像機１００において、所定時間以上の視聴が２回以上行われた番組の番組特定情報が記憶されており、テレビジョン受像機１００において所定時間以上の視聴が２回目に行われる番組が、当該第１判断プログラム１６３ａの実行において、本履歴リスト１６２２ｂに記憶済みでないと判断されることとなる。
ＣＰＵ１６１は、かかる第２判断プログラム１６３ｃを実行することにより、第２判断手段として機能する。
【００４０】
第２記憶制御プログラム１６３ｄは、例えば、ＣＰＵ１６１に、第１判断プログラム１６３ａの実行により、所定時間以上視聴された番組の番組特定情報が、仮履歴リスト１６２２ａに記憶されていると判断され、且つ、前述の第２判断プログラム１６３ｃの実行により、所定時間以上視聴された番組の番組特定情報が、本履歴リスト１６２２ｂに記憶されていないと判断された場合に、所定時間以上視聴された番組の番組特定情報を、本履歴リスト１６２２ｂに記憶させる機能を実現させるためのプログラムである。
具体的には、ＣＰＵ１６１は、前述の第１判断プログラム１６３ａの実行において、所定時間以上視聴された番組が、仮履歴リスト１６２２ａに記憶済みであると判断され、更に、第２判断プログラム１６３ｃの実行において、当該番組が本履歴リスト１６２２ｂに記憶済みでないと判断された場合に、当該番組が含まれるＴＳから抽出したＥＰＧ情報から、その番組のタイトル、チャンネル、放送曜日、放送開始時刻、放送終了時刻、放送局、ジャンル等の番組特定情報を取得して、本履歴リスト１６２２ｂに記憶させる。
ＣＰＵ１６１は、かかる第２記憶制御プログラム１６３ｄを実行することにより、第２記憶制御手段として機能する。
【００４１】
算出プログラム１６３ｅは、例えば、ＣＰＵ１６１に、本履歴リスト１６２２ｂに記憶された番組特定情報により特定される番組の視聴時間及び視聴回数を含む視聴実績情報を、当該番組の視聴の度に算出する機能を実現させるためのプログラムである。
具体的には、チューナ５において受信される放送番組データに基づいて番組の視聴が所定時間以上行われ、第１判断プログラム１６３ａの実行において、当該番組が仮履歴リスト１６２２ａに記憶済みであると判断され、さらに第２判断プログラム１６３ｃが実行されると、ＣＰＵ１６１は、当該算出プログラム１６３ｅを実行し、番組の視聴実績情報である視聴回数と、累計視聴時間を算出する。
例えば、第２判断プログラム１６３ｃの実行において、所定時間以上視聴された番組が本履歴リスト１６２２ｂに記憶済みでないと判断され、第２記憶制御プログラム１６３ｄが実行される場合には、ＣＰＵ１６１は、視聴回数を「２」とするとともに、この番組の１回目の視聴の際に、図示しない所定の領域に記憶された１回目の視聴時間と、今回（２回目）の視聴時間を演算して、累積視聴時間を算出する。
また、例えば、第２判断プログラム１６３ｃの実行において、所定時間以上視聴された番組が本履歴リスト１６２２ｂに記憶済みであると判断され、第２記憶制御プログラム１６３ｄが実行されない場合には、ＣＰＵ１６１は、本履歴リスト１６２２ｂに記憶されている視聴回数を１回分カウントアップするとともに、前回までの累計視聴時間に、今回の視聴時間を加算して、累積視聴時間を算出する。
ＣＰＵ１６１は、かかる算出プログラム１６３ｅを実行することにより、算出手段として機能する。
【００４２】
視聴実績情報記憶プログラム１６３ｆは、例えば、ＣＰＵ１６１に、算出プログラム１６３ｅの実行により算出された視聴実績情報と番組特定情報とを対応づけて記憶する機能を実現させるためのプログラムである。
具体的には、ＣＰＵ１６１は、前述の算出プログラム１６３ｅの実行において、所定時間以上視聴された番組の視聴回数及び視聴時間が算出されると、これらを、本履歴リスト１６２２ｂに、当該番組の番組特定情報に対応付けて記憶させる。
ＣＰＵ１６１は、かかる視聴実績情報記憶プログラム１６３ｆを実行することにより、本履歴リスト１６２２ｂとともに視聴実績情報記憶手段として機能する。
【００４３】
特定プログラム１６３ｇは、例えば、ＣＰＵ１６１に、現在時刻に放送中の番組及び／又は現在時刻から予め設定された時間経過後に開始される番組の中で、本履歴リスト１６２２ｂに記憶された番組特定情報により特定される番組と一致する特定番組を特定する機能を実現させるためのプログラムである。また、特定プログラム１６３ｇは、現在時刻に放送中の番組及び／又は現在時刻から予め設定された時間経過後に開始される番組の中で、本履歴リスト１６２２ｂに記憶された番組特定情報により特定される番組と一致する番組が同一時間帯に複数ある場合には、視聴実績情報記憶プログラム１６３ｆの実行により、本履歴リスト１６２２ｂに記憶された視聴実績情報における視聴時間が最も長い番組又は視聴回数が最も多い番組を特定番組として特定する。
具体的には、チューナ５により受信される放送番組データに基づいて、番組の視聴が行われると、ＣＰＵ１６１は、当該視聴中の番組が含まれるＴＳからＥＰＧ情報を取得し、現在時刻に放送中の番組及び現在時刻から所定時間経過後（例えば、５分後）に開始される番組の中で、本履歴リスト１６２２ｂに記憶された番組の番組特定情報（すなわち、タイトル、チャンネル、放送曜日、放送開始時刻、放送終了時刻、放送局、ジャンル）と一致する番組を探索する。そして、本履歴リスト１６２２ｂに記憶された番組の番組特定情報と一致する番組が存在する場合には、この番組を特定番組として特定する。本履歴リスト１６２２ｂには、前述したように、所定時間以上の視聴が２回以上行われた番組の番組特定情報が記憶されており、過去に所定時間以上の視聴が２回以上行われた番組と同一の番組が、他のチャンネルにおいて放送中である場合、又は、所定時間経過後に放送される場合に、当該番組が特定番組と特定されることとなる。
また、ＣＰＵ１６１は、過去に、所定時間以上の視聴が２回以上行われた番組と同一の番組が、同一時間帯に複数ある場合には、本履歴リスト１６２２ｂに記憶された視聴実績情報を参照し、これら複数の番組のうち、累積視聴時間が最も長い番組又は視聴回数が最も多い番組を、特定番組として特定する。例えば、ＣＰＵ１６１は、所定時間以上の視聴が２回以上行われた番組と同一の番組が、同一時間帯に複数ある場合に、本履歴リスト１６２２ｂに記憶された過去の視聴回数が最も多い番組を特定番組と特定し、更に、視聴回数が同一回数である場合には、累積視聴時間が最も長い番組を特定番組と特定する。
ＣＰＵ１６１は、かかる特定プログラム１６３ｇを実行することにより、特定手段として機能する。
【００４４】
通知プログラム１６３ｈは、例えば、ＣＰＵ１６１に、特定プログラム１６３ｇの実行により特定された特定番組の番組特定情報を、所定のタイミングで通知する機能を実現させるためのプログラムである。
具体的には、ＣＰＵ１６１は、前述の特定プログラム１６３ｇの実行において特定番組が特定されると、映像処理部１１から出力される映像信号に、ＯＳＤ回路１３によりＯＳＤデータを重畳させることにより、特定番組の番組特定情報を通知するＯＳＤ表示を表示部１４に表示させて、ユーザに特定番組の通知を行う。この通知は、例えば、チャンネル切り替えの所定時間前（例えば、３分前）等に行われ、特に、特定番組が放送中でない場合には、特定番組の放送開始時刻の所定時間前（例えば、３分前）に行われることとなる。
図４は、通知プログラム１６３ｈの実行において表示部１４に表示されるＯＳＤ表示の例示である。図４に例示するように、ＣＰＵ１６１は、特定番組が存在する旨や、特定番組のタイトル（例えば、「ドラマＥ」）・チャンネル（例えば、「７１ｃｈ」）・放送開始時刻（例えば、「２２：００」）等の番組特定情報、更に、所定の待機時間内に所定のキー操作が無い場合には、当該特定番組に自動的に切り替える旨（「視聴しない場合には、３分以内にクリアキーを操作してください」等）をＯＳＤ表示させ、ユーザに通知する。
ＣＰＵ１６１は、かかる通知プログラム１６３ｈを実行することにより、通知手段として機能する。
【００４５】
判定プログラム１６３ｉは、例えば、ＣＰＵ１６１に、視聴中の番組のチャンネルと、特定プログラム１６３ｇの実行により特定された特定番組のチャンネルとが一致するか否かを判定する機能を実現させるためのプログラムである。
具体的には、特定プログラム１６３ｇの実行において、現在時刻に放送中の番組及び現在時刻から所定時間経過後（例えば、５分後）に開始される番組の中で、本履歴リスト１６２２ｂに記憶された番組の番組特定情報と一致する番組が存在し、当該番組が特定番組と特定されると、ＣＰＵ１６１は、本履歴リスト１６２２ｂに記憶された番組の番組特定情報を参照し、視聴中の番組のチャンネルと、特定番組のチャンネルが一致するか否かを判断する。
ＣＰＵ１６１は、かかる判定プログラム１６３ｉを実行することにより、判定手段として機能する。
【００４６】
切替プログラム１６３ｊは、例えば、ＣＰＵ１６１に、判定プログラム１６３ｉの実行により、視聴中の番組のチャンネルと、特定プログラム１６３ｇの実行により特定された特定番組の番組特定情報におけるチャンネルとが一致しないと判定された場合であって、通知プログラム１６３ｈの実行による通知後、所定の待機時間内に、リモコン１において、チャンネルの切り替えを行わない旨を指示するキー操作がなされない場合に、当該一定時間経過後に、特定番組のチャンネルに切り替える機能を実現させるためのプログラムである。
具体的には、ＣＰＵ１６１は、前述の判定プログラム１６３ｉの実行において、視聴中の番組のチャンネルと、特定番組のチャンネルが一致しないと判断され、さらに、通知プログラム１６３ｈの実行による、所定の待機時間内（例えば、３分間以内）に所定のキー操作（クリアキーの操作）が無い場合には当該特定番組に自動的に切り替える旨の通知後、この通知に応じて、リモコン１において、当該待機時間内における所定のキー操作がなされない場合に、当該待機時間（例えば、３分間）経過後に、特定番組のチャンネルに切り替える。
また、ＣＰＵ１６１は、特定番組への切り替えと同時に、ブザー等の通知音や音声ガイダンスを出力し、特定番組への切り替えが行われたことをユーザに報知する。
ＣＰＵ１６１は、かかる切替プログラム１６３ｊを実行することにより、切替手段として機能する。
【００４７】
次に、仮履歴・本履歴登録／更新処理について、図５のフローチャートを参照しながら説明する。
まず、ＣＰＵ１６１は、ステップＳ１において、番組の視聴が行われると、当該番組が所定時間以上（例えば、５分間以上）視聴されたか否かを判断する。ＣＰＵ１６１は、ステップＳ１において、番組が所定時間以上視聴されたと判断すると（ステップＳ１；Ｙｅｓ）、ステップＳ２において、所定時間以上視聴された番組の番組特定情報が仮履歴リスト１６２２ａに記憶されているか否かを判断する。ＣＰＵ１６１は、ステップＳ２において、当該番組の番組特定情報が仮履歴リスト１６２２ａに記憶されていないと判断すると（ステップＳ２；Ｎｏ）、ステップＳ３において、当該番組が番組編成後に初めて視聴する番組であるか否かを、放送番組データから抽出したＥＰＧ情報等に基づいて判断する。ＣＰＵ１６１は、番組が番組編成後に初めて視聴する番組でないと判断した場合には（ステップＳ３；Ｎｏ）、ステップＳ５にすすみ、一方、番組が番組編成後に初めて視聴する番組であると判断した場合には（ステップＳ３；Ｙｅｓ）、ステップＳ４において、本履歴リスト１６２２ｂに、同一放送日時における同一チャンネルの番組の番組特定情報が記憶されているか否かを判断して、記憶されている場合には、本履歴リスト１６２２ｂに記憶されている当該同一放送日時における同一チャンネルの番組の番組特定情報を削除する。ステップＳ５において、ＣＰＵ１６１は、所定時間以上視聴された番組が含まれるＴＳからＥＰＧ情報を抽出して、所定時間以上視聴された当該番組の番組特定情報を取得し、仮履歴リスト１６２２ａに、取得した番組特定情報を記憶して、ステップＳ８に進む。
【００４８】
一方、ＣＰＵ１６１は、ステップＳ２において、当該番組の番組特定情報が仮履歴リスト１６２２ａに記憶されていると判断すると（ステップＳ２；Ｙｅｓ）、ステップＳ６において、所定時間以上視聴された番組の番組特定情報が本履歴リスト１６２２ｂに記憶されているか否かを判断する。ＣＰＵ１６１は、ステップＳ６において、当該番組の番組特定情報が本履歴リスト１６２２ｂに記憶されていないと判断すると（ステップＳ６；Ｎｏ）、ステップＳ７において、所定時間以上視聴された番組が含まれるＴＳからＥＰＧ情報を抽出して、所定時間以上視聴された当該番組の番組特定情報を取得し、本履歴リスト１６２２ｂに、取得した番組特定情報を記憶して、ステップＳ８に進む。
【００４９】
ステップＳ８において、ＣＰＵ１６１は、所定時間以上視聴された番組の視聴回数をカウントアップするとともに、今回の視聴時間に基づいて累積視聴時間を算出し、算出した視聴回数及び累積視聴時間を、本履歴リスト１６２２ｂに記憶された当該番組の番組特定情報と対応づけて記憶させ、本履歴リスト１６２２ｂを更新する。
さらに、ＣＰＵ１６１は、ステップＳ９において、仮履歴リスト１６２２ａ及び本履歴リスト１６２２ｂのそれぞれにおいて、所定期間以上（例えば、１ヶ月間以上）更新／参照されていない番組の番組特定情報があるか否かを判断する。ＣＰＵ１６１は、ステップＳ９において、仮履歴リスト１６２２ａ又は本履歴リスト１６２２ｂに所定期間以上更新／参照されていない番組の番組特定情報が無いと判断すると（ステップＳ９；Ｎｏ）、本処理を終了し、一方、ステップＳ９において、仮履歴リスト１６２２ａ又は本履歴リスト１６２２ｂに所定期間以上更新／参照されていない番組の番組特定情報があると判断すると（ステップＳ９；Ｙｅｓ）、ステップＳ１０において、所定期間以上更新／参照されていない番組特定情報を削除して、本処理を終了する。
【００５０】
次に、チャンネル自動切替処理について、図６のフローチャートを参照しながら説明する。
まず、ＣＰＵ１６１は、ステップＳ２１において、番組の視聴が行われると、視聴中の番組が含まれるＴＳから抽出したＥＰＧ情報に基づいて、現在時刻に放送中の番組と、現在時刻から所定時間経過後（例えば、５分後）に開始される番組の中で、本履歴リスト１６２２ｂに記憶された番組特定情報により特定される番組と一致する番組があるか否かを判断する。ＣＰＵ１６１は、ステップＳ２１において、現在時刻に放送中の番組及び現在時刻から所定時間経過後に開始される番組の中で、本履歴リスト１６２２ｂに記憶された番組特定情報により特定される番組と一致する番組があると判断すると（ステップＳ２１；Ｙｅｓ）、ステップＳ２２において、当該一致する番組を特定番組と特定し、ステップＳ２３において、チャンネル切り替えの所定時間前に、特定番組が存在する旨や、特定番組のタイトル・放送開始時刻・チャンネル等の番組特定情報、待機時間内に所定のキー操作が無い場合には特定番組に自動的に切り替える旨のＯＳＤ表示を表示部１４に表示させ、ユーザに通知する。
次に、ＣＰＵ１６１は、ステップＳ２４において、チャンネルの切り替えを行わない旨を指示するキー操作がなされたか否かを判断し、チャンネルの切り替えを行わない旨を指示するキー操作がなされたと判断すると（ステップＳ２４；Ｙｅｓ）、本処理を終了する。一方、ＣＰＵ１６１は、チャンネルの切り替えを行わない旨を指示するキー操作がなされないと判断すると（ステップＳ２４；Ｎｏ）、ステップＳ２５において、通知を行ってから所定の待機時間が経過したか否かを判断し、待機時間が経過していないと判断すると（ステップＳ２５；Ｎｏ）、ステップＳ２４に戻り、一方、待機時間が経過したと判断すると（ステップ２５；Ｙｅｓ）、ステップＳ２６に進む。
ＣＰＵ１６１は、ステップＳ２６において、視聴中の番組のチャンネルが、特定番組のチャンネルと一致するか否かを判断する。ＣＰＵ１６１は、ステップＳ２６において、視聴中の番組のチャンネルと一致すると判断すると（ステップＳ２６；Ｙｅｓ）、本処理を終了し、一方、視聴中の番組のチャンネルが、特定番組のチャンネルと一致しないと判断すると（ステップＳ２６；Ｎｏ）、ステップＳ２７において、特定番組のチャンネルに切り替える処理を行い、ステップＳ２８において、特定番組に切り替えた旨を報知する通知音を出力し、本処理を終了する。
【００５１】
以上説明した本実施形態におけるテレビジョン受像機１００によれば、ユーザによるキー操作を受け付けるリモコン１が備わり、仮履歴リスト１６２２ａ及び本履歴リスト１６２２ｂにより、番組のタイトルと放送日時とチャンネルとを含む番組特定情報が記憶され、ＣＰＵ１６１による第１判断プログラム１６３ａの実行により、所定時間以上視聴された番組の番組特定情報が、仮履歴リスト１６２２ａに記憶されているか否かが判断され、第１記憶制御プログラム１６３ｂの実行により、第１判断プログラム１６３ａの実行により所定時間以上視聴された番組の番組特定情報が仮履歴リスト１６２２ａに記憶されていないと判断された場合に、所定時間以上視聴された番組の番組特定情報が仮履歴リスト１６２２ａに記憶され、第２判断プログラム１６３ｃの実行により、所定時間以上視聴された番組の番組特定情報が、本履歴リスト１６２２ｂに記憶されているか否かが判断され、第２記憶制御プログラム１６３ｄの実行により、第１判断プログラム１６３ａにより、所定時間以上視聴された番組の番組特定情報が、仮履歴リスト１６２２ａに記憶されていると判断され、且つ、第２判断プログラム１６３ｃの実行により、本履歴リスト１６２２ｂに記憶されていないと判断された場合に、所定時間以上視聴された番組の番組特定情報が当該本履歴リスト１６２２ｂに記憶され、算出プログラム１６３ｅの実行により、本履歴リスト１６２２ｂに記憶された番組特定情報により特定される番組の視聴時間及び視聴回数を含む視聴実績情報が、当該番組の視聴の度に算出され、本履歴リスト１６２２ｂにより、算出プログラム１６３ｅの実行により算出された視聴実績情報と番組特定情報とが対応付けて記憶され、特定プログラム１６３ｇの実行により、現在時刻に放送中の番組及び／又は現在時刻から予め設定された時間経過後に開始される番組の中で、本履歴リスト１６２２ｂに記憶された番組特定情報により特定される番組と一致する特定番組が特定され、通知プログラム１６３ｈの実行により、特定プログラム１６３ｇの実行により特定された特定番組の番組特定情報が、所定のタイミングで通知され、判定プログラム１６３ｉの実行により、視聴中の番組のチャンネルと、特定プログラム１６３ｇの実行により特定された特定番組のチャンネルとが一致するか否かが判定され、切替プログラム１６３ｊの実行により、判定プログラム１６３ｉの実行により、視聴中の番組のチャンネルと、特定プログラム１６３ｇの実行により特定された特定番組のチャンネルとが、一致しないと判定された場合であって、通知プログラム１６３ｈの実行による通知後、所定の待機時間内に、リモコン１において、チャンネルの切り替えを行わない旨を指示するキー操作がなされない場合に、当該所定の待機時間経過後に、当該特定番組のチャンネルに切り替えられ、特定プログラム１６３ｇは、現在時刻に放送中の番組及び／又は現在時刻から予め設定された時間経過後に開始される番組の中で、本履歴リスト１６２２ｂに記憶された番組特定情報により特定される番組と一致する番組が同一時間帯に複数ある場合には、本履歴リスト１６２２ｂに記憶された視聴実績情報における視聴時間が最も長い番組又は視聴回数が最も多い番組を特定番組として特定する。
したがって、所定時間以上の視聴が２回以上行われた番組のみ、本履歴リスト１６２２ｂに記憶されることとなり、視聴履歴への視聴履歴情報の記憶が、複数段階に分けて行われ、テレビジョン受像機１００において、より有用且つより効率的な視聴履歴の記憶が可能となる。また、所定時間以上の視聴が２回以上行われた番組のみが記憶された本履歴リスト１６２２ｂに基づいて、特定番組が特定されることとなるため、視聴履歴内の探索や視聴実績の比較等を効率良く行うことができることとなる。
また、ユーザは、チャンネルの切り替えを望まない場合にのみ、チャンネルの切り替えを行わない旨を指示するキー操作を行えば良く、チャンネルの切り替えを望む場合には、チャンネル変更の操作を行わなくても特定番組に自動的に切り替えられることとなり、より確実に特定番組を視聴することができるとともに、テレビジョン受像機１００の使い勝手を向上させることができる。
さらに、視聴実績情報における視聴時間が最も長い番組又は視聴回数が最も多い番組が特定番組と特定されることとなるため、過去の視聴履歴に基づく、ユーザが視聴する可能性のより高い番組が、より確実に視聴できることとなる。
【００５２】
なお、本発明の範囲は、上記実施の形態に限られることなく、本発明の趣旨を逸脱しない範囲において、種々の改良並びに設計の変更を行っても良い。
例えば、番組特定情報が抽出されるＥＰＧ情報は、放送局から放送番組データとともに送信されるものに限られず、ネットワークを介して取得されるものであっても良い。
また、例えば、ある番組を視聴中に、一又は複数の他のチャンネルに一時的に切り替えられ、所定時間以内（例えば、６０秒以内）に再び元の番組に切り替えられた場合には、一時的に切り替えられている間の時間を、当該番組の視聴時間に算入させても良い。
また、例えば、現在時刻に放送中の番組及び／又は現在時刻から予め設定された時間経過後に開始される番組の中で、本履歴リスト１６２２ｂに記憶された番組特定情報により特定される番組と一致する番組が同一時間帯に複数ある場合には、複数の番組をそれぞれ特定番組と特定し、ユーザに当該複数の番組から一の番組を選択させる構成であっても良い。
また、例えば、テレビジョン受像機１００が待機状態である場合であっても、特定手段により特定番組を特定させる構成であっても良い。そして、待機状態において、特定番組が特定された場合には、自動的に電源オン処理を行うとともに、所定の時間だけ、表示部１４に当該特定番組を表示させ、所定の時間内に視聴を継続する旨のキー操作がなされない場合には、所定時間経過後に待機状態に戻るとともに、視聴を継続する旨のキー操作がなされた場合には、当該番組の表示を継続する構成であっても良い。
【図面の簡単な説明】
【００５３】
【図１】本実施形態におけるテレビジョン受像機の要部構成を例示するブロック図である。
【図２】仮履歴リストの例示である。
【図３】本履歴リストの例示である。
【図４】通知プログラムの実行において表示部に表示されるＯＳＤ表示の例示である。
【図５】仮履歴・本履歴登録／更新処理を示すフローチャートである。
【図６】チャンネル自動切替処理を示すフローチャートである。
【符号の説明】
【００５４】
１００      テレビジョン受像機（放送受信装置）
１          リモートコントローラ（キー操作部）
１６１      ＣＰＵ（第１判断手段、第１記憶制御手段、第２判断手段、第２記憶制御手段、算出手段、視聴実績情報記憶手段、特定手段、通知手段、判定手段、切替手段）
１６２２ａ  仮履歴リスト（第１記憶手段）
１６２２ｂ  本履歴リスト（第２記憶手段）
１６３ａ    第１判断プログラム（第１判断手段）
１６３ｂ    第１記憶制御プログラム（第１記憶制御手段）
１６３ｃ    第２判断プログラム（第２判断手段）
１６３ｄ    第２記憶制御プログラム（第２記憶制御手段）
１６３ｅ    算出プログラム（算出手段）
１６３ｆ    視聴実績情報記憶プログラム（視聴実績情報記憶手段）
１６３ｇ    特定プログラム（特定手段）
１６３ｈ    通知プログラム（通知手段）
１６３ｉ    判定プログラム（判定手段）
１６３ｊ    切替プログラム（切替手段）
【図１】
2008263544.tif 000003
【図２】
2008263544.tif 000004
【図３】
2008263544.tif 000005
【図４】
2008263544.tif 000006
【図５】
2008263544.tif 000007
【図６】
2008263544.tif 000008